(57)【要約】【課題】複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できる薬剤放散装置とする。【解決手段】電源と送風機１５と薬剤１７を有した主薬剤放散器具１に、送風機２５を駆動することで薬剤を含有した空気を放出する補助薬剤放散器具２を、格納姿勢と使用姿勢とに亘って移動自在にそれぞれ複数取付け、この各補助薬剤放散器具２の送風機２５のモータ２５ｂは、前記主薬剤放散器具１の電源によってそれぞれ駆動されるようにした薬剤放散装置。【選択図】図１
2009153388.tif 000002
【特許請求の範囲】
【請求項１】
主薬剤放散器具１と複数の補助薬剤放散器具２を備え、
前記主薬剤放散器具１は、吸込口１２と吐出口１３と薬剤取付部１４を有した器具本体１０に送風機１５と薬剤１７と電源を設け、その送風機１５を駆動することで吸込口１２から吸い込んだ空気が薬剤１７に触れて薬剤を含有した空気を吐出口１３から吐出し、前記器具本体１０に器具取付部１１を設けたものとし、
前記各補助薬剤放散器具２は、取付部２１と吸込口２２と吐出口２３と薬剤取付部２４を有した本体２０と、薬剤２６と送風機２５を備え、その送風機２５を駆動することで、吸込口２２から吸い込んだ空気が薬剤２６と触れて薬剤を含有した空気を吐出口２３から吐出し、
前記取付部２１が前記器具取付部１１に取付けられ、補助薬剤放散器具２は主薬剤放散器具１に、主・補助薬剤放散器具１，２の空気流通路が干渉せずに独立した使用姿勢と、補助薬剤放散器具２が主薬剤放散器具１に接近してコンパクトとなった格納姿勢とに亘って移動自在に取付けてあり、
前記補助薬剤放散器具２の送風機２５のモータ２５ａは、主薬剤放散器具１の電源により駆動されるようにしたことを特徴とする薬剤放散装置。
【請求項２】
取付部２１は器具取付部１１に着脱自在で、
前記取付部２１を器具取付部１１に取付けることで補助薬剤放散器具２は主薬剤放散器具１の周囲に張り出した使用姿勢となり、
前記補助薬剤放散器具２を主薬剤放散器具１の器具本体１０の下面に重ね合わせて取付けて格納姿勢とした請求項１記載の薬剤放散装置。
【請求項３】
主薬剤放散器具１の器具取付部１１は、器具本体１０に横向きの姿勢と縦向きの姿勢とに亘って回動自在に取付けられ、
前記器具取付部１１に取付部２１を取付けることで補助薬剤放散器具２は主薬剤放散器具１に横向きの使用姿勢と縦向きの格納姿勢とに亘って上下回動自在に取付けてある請求項１記載の薬剤放散装置。
【請求項４】
主薬剤放散器具１の器具本体１０に取付縦軸４０を設けて器具取付部１１とし、
補助薬剤放散器具２の取付部２１を、前記取付縦軸４０に回動自在に嵌合して取付け、
前記補助薬剤放散器具２は、主薬剤放散器具１に対して上下方向に重なり合った格納姿勢と、取付縦軸４０を中心として放射状に展開した使用姿勢とに亘って回動自在とした請求項１記載の薬剤放散装置。
【請求項５】
主薬剤放散器具１の器具本体１０にブラケットを設け、このブラケットにピン６３を挿入、抜き出し自在として器具取付部１１とし、
補助薬剤放散器具２の本体２０に、前記ピン６３が挿入する孔を形成して取付部２１とし、
前記補助薬剤放散器具２は、主薬剤放散器具１に対して前記ピン６３を中心として横向きの使用姿勢と重なり合った格納姿勢とに亘って回動自在とした請求項１記載の薬剤放散装置。
【請求項６】
器具取付部１１と取付部２１は挿入、抜き出し自在で、その器具取付部１１と取付部２１を挿入して連結することで主薬剤放散器具１の電源が、器具取付部１１と取付部２１の連結部分を通して補助薬剤放散器具２の送風機２５のモータ２５ａに接続されるようにした請求項１記載の薬剤放散装置。
【請求項７】
補助薬剤放散器具２の取付部２１を、主薬剤放散器具１の器具取付部１１に着脱自在とした請求項１記載の薬剤放散装置。
【発明の詳細な説明】
【技術分野】
【０００１】
本発明は、薬剤を含有する空気を大気に放出する薬剤放散装置に関する。
【背景技術】
【０００２】
従来から、吸込口と吐出口と薬剤取付部を有すると共に、送風機と、この送風機の電源を備えた装置本体に、薬剤を取付け、送風機を駆動することで薬剤に空気を触れることで薬剤を含有する空気とし、その空気を大気に放出するようにした薬剤放散装置が種々提案されている。
この薬剤放散装置は、快適な居住空間を得るための害虫の防除、悪臭の消臭や安らぎの香り、防菌や防黴、などのいろいろな目的として使用される。
【０００３】
前述の目的のために薬剤放散装置の使用場面として、ダイニングキッチン室、寝室、子供室、浴室、トイレ、などの居間空間、その他玄関、物置、ペット、等の空間、また、押入れ、衣装室、食材や調理用具などの収納室、などと様々である。
また、キッチンセット、冷蔵庫、家具、などを設置してできる隙間、台所や浴室などの排水管、などの局所空間などもある。
そして、その空間は、大中小などの広さや局所空間の奥行き、入口の大きさ、などが異なることがある。
さらに、一般家庭の他に、販売店、食堂、旅館、病院、乗り物、などでも使用されることがある。
【０００４】
前述したように、薬剤放散装置は複数の目的のために使用されると共に、様々な場面で使用されるので、１台の薬剤放散装置で複数の目的に使用できること、同時に複数の目的に使用できること、様々な場面で使用できること、を満足した薬剤放散装置とすることが好ましい。
【０００５】
例えば、装置本体の薬剤取付部に、いろいろな目的に供する異なる種類の薬剤のいずれか１つを選択的に取付けて１台の薬剤放散装置で複数の目的に使用することが考えられる。
しかし、このようにすると、それぞれの目的で使用した薬剤による薬剤取付部や空気流通路への付着物が混在する問題がある。例えば、特に有毒イメージの害虫を対象とする害虫防除剤を使用した後、無毒イメージの人間を対象とする芳香剤などを使用する場合、害虫防除剤付着物が混在することはあってはならない問題である。
【０００６】
また、同時に複数の目的に使用することができる薬剤放散装置が特許文献１に開示されている。
この薬剤放散装置は、送風機を備えた装置本体の吸込口と吐出口とに薬剤取付部をそれぞれ設け、送風機を駆動することで各々の薬剤取付部に取付けた薬剤を大気に放出するようにしてある。
【０００７】
【特許文献１】特開２００３−３０４７９１号公報
【発明の開示】
【発明が解決しようとする課題】
【０００８】
前述の従来の薬剤放散装置のように、吸込口及び吐出口の各薬剤取付部に、目的の違う異なる種類の薬剤（薬剤保持体）を取付けて使用することは、吸込み気流や吐出し気流の空気の流通を妨げる問題がある。例えば、吸込口に取付けた薬剤は、その薬剤の外気への放出（速度、距離）を吐出口に取付けた薬剤が妨げる。また、吐出口に取付けた薬剤は、その薬剤に触れる風力を吸込口に取付けた薬剤が妨げる。
前述のように、空気の流通が妨げられると効率良く薬剤を大気に放出できない。
【０００９】
複数の目的に使用したり、同時に複数の目的に使用できると共に、それぞれの目的で使用した薬剤による薬剤取付部や空気流通路への付着物が混在することがないし、薬剤を効率良く大気に放出できることを満足するには、前述した従来の薬剤放散装置を目的の数だけ準備し、目的に応じた薬剤放散装置を選択して用いることが考えられる。
【００１０】
しかし、前述のようにした場合には次のような問題がある。
従来の薬剤放散装置は、装置本体に電源を設けているので、大型であり、大型の薬剤放散装置を複数台並べて用いると広いスペースが必要である。
また、使用していない薬剤放散装置を何処かに保管しなければならず、面倒であるし、持ち運びしにくい。
また、使用していない薬剤放散装置の電源は利用されないので、不経済である。
【００１１】
本発明の目的は、複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できるようにした薬剤放散装置とすることである。
【課題を解決するための手段】
【００１２】
本発明は、主薬剤放散器具１と複数の補助薬剤放散器具２を備え、
前記主薬剤放散器具１は、吸込口１２と吐出口１３と薬剤取付部１４を有した器具本体１０に送風機１５と薬剤１７と電源を設け、その送風機１５を駆動することで吸込口１２から吸い込んだ空気が薬剤１７に触れて薬剤を含有した空気を吐出口１３から吐出し、前記器具本体１０に器具取付部１１を設けたものとし、
前記各補助薬剤放散器具２は、取付部２１と吸込口２２と吐出口２３と薬剤取付部２４を有した本体２０と、薬剤２６と送風機２５を備え、その送風機２５を駆動することで、吸込口２２から吸い込んだ空気が薬剤２６と触れて薬剤を含有した空気を吐出口２３から吐出し、
前記取付部２１が前記器具取付部１１に取付けられ、補助薬剤放散器具２は主薬剤放散器具１に、主・補助薬剤放散器具１，２の空気流通路が干渉せずに独立した使用姿勢と、補助薬剤放散器具２が主薬剤放散器具１に接近してコンパクトとなった格納姿勢とに亘って移動自在に取付けてあり、
前記補助薬剤放散器具２の送風機２５のモータ２５ａは、主薬剤放散器具１の電源により駆動されるようにしたことを特徴とする薬剤放散装置である。
【００１３】
本発明においては、取付部２１は器具取付部１１に着脱自在で、
前記取付部２１を器具取付部１１に取付けることで補助薬剤放散器具２は主薬剤放散器具１の周囲に張り出した使用姿勢となり、
前記補助薬剤放散器具２を主薬剤放散器具１の器具本体１０の下面に重ね合わせて取付けて格納姿勢とすることができる。
【００１４】
本発明においては、主薬剤放散器具１の器具取付部１１は、器具本体１０に横向きの姿勢と縦向きの姿勢とに亘って回動自在に取付けられ、
前記器具取付部１１に取付部２１を取付けることで補助薬剤放散器具２は主薬剤放散器具１に横向きの使用姿勢と縦向きの格納姿勢とに亘って上下回動自在に取付けることができる。
【００１５】
本発明においては、主薬剤放散器具１の器具本体１０に取付縦軸４０を設けて器具取付部１１とし、
補助薬剤放散器具２の取付部２１を、前記取付縦軸４０に回動自在に嵌合して取付け、
前記補助薬剤放散器具２は、主薬剤放散器具１に対して上下方向に重なり合った格納姿勢と、取付縦軸４０を中心として放射状に展開した使用姿勢とに亘って回動自在にできる。
【００１６】
本発明においては、主薬剤放散器具１の器具本体１０にブラケットを設け、このブラケットにピン６３を挿入、抜き出し自在として器具取付部１１とし、
補助薬剤放散器具２の本体２０に、前記ピン６３が挿入する孔を形成して取付部２１とし、
前記補助薬剤放散器具２は、主薬剤放散器具１に対して前記ピン６３を中心として横向きの使用姿勢と重なり合った格納姿勢とに亘って回動自在にできる。
【００１７】
本発明においては器具取付部１１と取付部２１は挿入、抜き出し自在で、その器具取付部１１と取付部２１を挿入して連結することで主薬剤放散器具１の電源が、器具取付部１１と取付部２１の連結部分を通して補助薬剤放散器具２の送風機２５のモータ２５ａに接続されるようにできる。
【００１８】
このようにすれば、補助薬剤放散器具２を主薬剤放散器具１に取付けることで、主薬剤放散器具１の電源から補助薬剤放散器具２の送風機２５のモータ２５ａに電力を供給できる状態、つまり通電できる状態とすることができる。
【００１９】
本発明においては、取付部２１を器具取付部１１に着脱自在とすることができる。
【００２０】
このようにすれば、補助薬剤放散器具２を取り外して新しく別の補助薬剤放散器具２を取付けて異なる目的に使用できる。
したがって、異なる目的に使用する補助薬剤放散器具２を複数台準備しておくことで、より多くの目的に使用できる。
【発明の効果】
【００２１】
本発明によれば、複数の目的に使用したり、同時に複数の目的に使用できると共に、それぞれの目的で使用した薬剤による薬剤取付部や空気流通路への付着物が混在することがないし、薬剤を効率良く大気に放出でき、しかも狭いスペースで使用できると共に、電源を有効利用でき、簡単に持ち運び、保管できる。
【発明を実施するための最良の形態】
【００２２】
本発明の第１の実施の形態を図１〜図６に基づいて説明する。
１台の主薬剤放散器具１と、補助薬剤放散器具２、好ましくは複数台の補助薬剤放散器具２とで薬剤放散装置とする。
前記主薬剤放散器具１は、器具本体１０と、この器具本体１０に設けた器具取付部１１、好ましくは複数の器具取付部１１を有している。その器具本体１０は図５に示すように吸込口１２と吐出口１３と薬剤取付部１４と送風機１５と電源収容室１６を備え、その薬剤取付部１４に薬剤１７が取付けてあると共に、電源収容室１６に電源、例えば電池１８が収容してある。
前記送風機１５は電池１８によって駆動される。
【００２３】
前記補助薬剤放散器具２は、本体２０と取付部２１を有している。
前記本体２０は、図６に示すように、吸込口２２と吐出口２３と薬剤取付部２４と送風機２５を備え、その薬剤取付部２４に薬剤２６が取付けてある。
前記取付部２１を器具取付部１１に取付けることで、図１、図２に示すように補助薬剤放散器具２は、主薬剤放散器具１に使用姿勢として取付けられる。
前記取付部２１を器具取付部１１から取り外し、各補助薬剤放散器具２を主薬剤放散器具１に格納姿勢として取付けて保持できるようにしてある。
例えば、図３、図４に示すように器具本体１０と本体２０とが重なり合った格納姿勢として主薬剤放散器具１に補助薬剤放散器具２を取付けて保持できるようにしてある。
【００２４】
このようであるから、主薬剤放散器具１の送風機１５を駆動することで、その薬剤１７の薬剤を含有した空気を大気に放出できる。
また、補助薬剤放散器具２の送風機２５を駆動することで、その薬剤２６の薬剤を含有した空気を大気に放出できる。
したがって、前記薬剤１７と薬剤２６を目的の異なるものとして、送風機１５，２５を同時に駆動することで、複数の目的に使用できる。
【００２５】
また、複数、例えば３つの補助薬剤放散器具２に目的の異なる薬剤２６をそれぞれ取付け、目的に応じて１つの補助薬剤放散器具２を使用姿勢として取付け、送風機２５を駆動することで薬剤２６を含む空気を吐出口２３から吐出することで、薬剤を含有した空気を大気に放出できる。
なお、各補助薬剤放散器具２を使用姿勢として取付け、いずれか１つの補助薬剤放散器具２の送風機２５を駆動するようにしても良い。
いずれにしても、１台の主薬剤放散器具１又は複数台の補助薬剤放散器具２におけるいずれか１台の送風機を駆動して薬剤を大気に放出できる。
したがって、複数の目的に使用できる。
【００２６】
また、主・補助薬剤放散器具１，２の送風機１５，２５を同時に駆動すれば薬剤１７，２６を含有した空気を大気に放出できる。
また、各補助薬剤放散器具２を使用姿勢として取付け、その各送風機２５を駆動すると共に、主薬剤放散器具１の送風機１５を駆動することで、各薬剤を含有した空気を各吐出口２３，１３から吐出し、各薬剤を含有した空気をそれぞれ大気に放出できる。
したがって、同時に複数の目的に使用できる。
【００２７】
しかも、各補助薬剤放散器具２が使用姿勢の時には、各補助薬剤放散器具２の空気流通路、主薬剤放散器具１の空気流通路はそれぞれ独立しているので、前述した各薬剤放散器具（主・補助薬剤放散器具１，２）における１つの薬剤放散器具の空気流通路を流通する薬剤を含有した空気が他の薬剤放散器具の空気流通路を流通することがなく、それぞれの目的で使用した薬剤による薬剤取付部や空気流通路への付着物が混在することがない。
前記空気流通路とは、吸込口１２，２２から吸い込まれ、吐出口１３，２３から吐出される空気の流通路である。
【００２８】
例えば、図１、図２に示すように、使用姿勢の補助薬剤放散器具２は主薬剤放散器具１から大きく張り出し、その各吸込口２２がそれぞれ離隔すると共に、主薬剤放散器具１の吐出口１３とそれぞれ離れ、各吐出口２３がそれぞれ離隔し、かつ他の補助薬剤放散器具２の吸込口２２と離れていると共に、主薬剤放散器具１の吸込口１２とそれぞれ離隔している。
これによって、主薬剤放散器具１の吸込口１２と吐出口１３に流れる空気と、各補助薬剤放散器具２の吸込口２２と吐出口２３に流れる空気とが触れ合うことがなく、各空気流通路は独立している。
【００２９】
また、各空気流通路には、１つの薬剤が設けられているので、その空気流通路を空気がスムーズに流通して薬剤に触れる風力が妨げられることがない。
したがって、薬剤を効率良く大気に放出できる。
【００３０】
また、各補助薬剤放散器具２の送風機２５は主薬剤放散器具１に設けた電池１８（電源）で駆動され、その各補助薬剤放散器具２は電源を有していないので、その各補助薬剤放散器具２を小型とすることができる。
したがって、狭いスペースで使用できる。
例えば、図１に示すように主薬剤放散器具１の周囲に、小型の補助薬剤放散器具２を横向きの使用姿勢として複数取付けして各補助薬剤放散器具２から薬剤を含有した空気を大気にそれぞれ放出できるので、狭いスペースで使用できる。
【００３１】
また、各補助薬剤放散器具２はそれぞれ電源を有していないので、使用しない補助薬剤放散器具２がある場合に、使用されない電源は存在しない。
したがって、電源を有効利用できる。
【００３２】
また、各補助薬剤放散器具２を格納姿勢として主薬剤放散器具１に取付けすれば、全体がコンパクトとなる。
したがって、簡単に持ち運び、保管できる。
例えば、図３、図４に示すように主薬剤放散器具１の下面に各補助薬剤放散器具２を重ね合わせて取付け、その各補助薬剤放散器具２が主薬剤放散器具１の周囲に張り出ししないようにすれば、全体をコンパクトにできる。
【００３３】
この実施の形態においては、主薬剤放散器具１に待機補助薬剤放散器具３が着脱自在に取付けてある。
この待機補助薬剤放散器具３は前述した補助薬剤放散器具３と同様である。
すなわち、主薬剤放散器具１に、その器具取付部１１の数よりも多くの補助薬剤放散器具２が着脱自在に取付けてある。
【００３４】
このようにすれば、より多くの目的に使用できる。
また、未使用の補助薬剤放散器具２（待機補助薬剤放散器具３）を、主薬剤放散器具１に取付けて保管できる。
【００３５】
次に、各部材の具体形状を説明する。
前記主薬剤放散器具１の器具本体１０は図５に示すように、上面板１０ａと下面板１０ｂと周面板１０ｃで箱形状で、その内部が仕切板１０ｄで前述の電源収容室１６と送風機収容室１０ｅに区画されている。
前記上面板１０ａに吸込口１２、前記周面板１０ｃに吐出口１３が送風機収容室１０ｅにそれぞれ開口して形成してある。
この吸込口１２が薬剤取付部１４で、前記薬剤１７は吸込口１２に嵌合するリング体１７ａに薬剤含浸体１７ｂを設けたものとしてある。
【００３６】
前記器具取付部１１は上面板１０ａにおける電源収容室１６の上方部分に設けられて薬剤取付部１４とは離隔している。
前記器具取付部１１は差し込み口１１ａを有し、その差し込み口１１ａは器具本体１０の周方向に向けて開口していると共に、その底部に電源端子１１ｂが設けてある。この電源端子１１ｂが電源収容室１６内の電池１８（電源）に接続している。
要するに、器具取付部１１は差し込みソケットとしてある。
前記器具本体１０の下面板１０ｂには被連結部１９が設けてある。例えば、下面に開口した被連結穴１９ａが複数形成してある。
【００３７】
前記補助薬剤放散器具２の本体２０は図６に示すように、上面板２０ａと下面板２０ｂと周面板２０ｃで箱形状で、その上面板２０ａに吸込口２２が形成され、周面板２０ｃに吐出口２３が形成してある。
前記吸込口２２に嵌合するリング体２６ａに薬剤含浸体２６ｂを設けて薬剤２６としてあり、その吸込口２２が薬剤取付部２４である。
前記取付部２１は周面板２０ｃに設けた端子２１ａを有し、この端子２１ａが送風機２５のモータ２５ａに図示しないスイッチを介して接続し、前記端子２１ａは器具取付部１１の差し込み口１１ａに差し込まれて電源端子１１ｂと接触する。
要するに、取付部２１は差し込みプラグである。
【００３８】
前記上面板２０ａには、前記被連結部１９に着脱自在に連結される連結部２７が設けてある。例えば、被連結穴１９ａに嵌合する連結突起２７ａが設けてある。
前記下面板２０ｂには、前記連結部２７が着脱自在に連結される被連結部２８が設けてある。例えば、連結突起２７ａが嵌合する被連結穴２８ａが形成してある。
すなわち、この被連結部２８は主薬剤放散器具１の被連結部１９と同様である。
【００３９】
このようであるから、本体２０の連結部２７を器具本体１０の被連結部１９に連結することで主薬剤放散器具１の下面に補助薬剤放散器具２（待機補助薬剤放散器具３）を取付けできる。
また、一方の本体２０の連結部２７を他方の本体２０の被連結部２８に連結することで補助薬剤放散器具２を重ね合わせることができる。
【００４０】
この実施の形態では、本体２０の幅は器具本体１０の幅と同一、もしくは小さく、本体２０の長さは器具本体１０の長さの半分よりも短い。
これにより、補助薬剤放散器具２を主薬剤放散器具１の下面に２つ並列して取付けできる。
【００４１】
前記器具取付部１１と取付部２１は前述のものに限ることはなく、着脱自在であれば良い。
例えば、図７に示すように器具取付部１１を凹陥部１１ｃを有し、その底部に電源端子１１ｂを設けてある。
前記取付部２１は凹陥部１１ｃに嵌合する突起２１ｂに電源端子２１ｃを設けてある。
そして、突起２１ｂを凹陥部１１ｃに嵌合することで補助薬剤放散器具２が主薬剤放散器具１に使用姿勢で取付けられると共に、電源端子１１ｂ，２１ｃ相互が接触する。
【００４２】
前述の各器具取付部１１、取付部２１であれば、主薬剤放散器具１に補助薬剤放散器具２を使用姿勢として取付けることで、主薬剤放散器具１の電池１８を補助薬剤放散器具２の送風機２５のモータ２５ａに電気的に接続し、電池１８の電力をモータ２５ａに供給できる。
【００４３】
次に本発明の第２の実施の形態を図８、図９に基づいて説明する。
この実施の形態は、器具取付部１１を横向姿勢と上向姿勢とに亘って回動自在としたことが前述の第１の実施の形態と相違し、他は同様である。
図８、図９に示すように、主薬剤放散器具１の器具本体１０の上面板１０ａにおける吸込口１２と離れた部分に一対のブラケット３０を上向きに設ける。
この一対のブラケット３０間に前述の器具取付部１１をピン３１で横向姿勢と縦向姿勢とに亘って上下回動自在に取付ける。
【００４４】
前記器具取付部１１に取付部２１を取付け、その器具取付部１１を横向姿勢とすることで補助薬剤放散器具２は実線で示すように使用姿勢となる。
前記器具取付部１１を上向姿勢とすることで補助薬剤放散器具２は主薬剤放散器具１に対して起立した格納姿勢となる。この時、補助薬剤放散器具２は主薬剤放散器具１の周囲に若干張り出しするが、張り出さないようにすることもできる。
【００４５】
次に、本発明の第３の実施の形態を図１０〜図１２に基づいて説明する。
この実施の形態は、主薬剤放散器具１に複数の補助薬剤放散器具２を使用姿勢と格納姿勢とに亘って縦軸の回りを回転自在に取付けたこと（つまり、器具取付部１１、取付部２１）が第１・第２の実施の形態と相違し、他の構成は第１・第２の実施の形態と同様である。
前記主薬剤放散器具１の器具本体１０の上面板１０ａに取付縦軸４０を取付けて器具取付部１１としてある。
前記取付縦軸４０は、小径部４１と大径部４２が長手方向に交互に複数有している。
前記補助薬剤放散器具２の本体２０には、前記小径部４１が嵌合する半円形の凹部５０が形成してあると共に、その凹部５０と同一大きさの半円形の凹部５１を有したキャップ５２がビス５３で着脱自在に取付けられ、この凹部５０と凹部５１で小径部４１を回転自在に支承するようにしてあり、これによって取付部２１としてある。
【００４６】
前記各補助薬剤放散器具２を図１０、図１１に示すように取付縦軸４０を中心として放射状に展開した使用姿勢とすると主薬剤放散器具１の周囲に張り出し、前述の図１、図２に示すと同様になる。
前述の状態から補助薬剤放散器具２を縦軸回りに回転して格納姿勢とすることで、各補助薬剤放散器具２が主薬剤放散器具１の上方で上下方向に重なり合うようにして主薬剤放散器具１の幅、長さ内に収められる。
【００４７】
前記ビス５３を弛めてキャップ５２を取り外しすることで取付部２１を器具取付部１１から分離できるので、補助薬剤放散器具２を主薬剤放散器具１から取り外して、待機補助放散器具３を主薬剤放散器具１に取付けできる。
【００４８】
前記取付部２１は図１３に示すように、円弧状の凹陥部５４を形成する一対の側壁部５５を弾性変形可能で、その凹陥部５４を弾性的に拡開できるようにしても良い。
このようにすれば、一対の側壁部５５を取付縦軸４０の小径部４１に強い力で押しつけることで凹陥部５４を小径部４１に回転自在に嵌合して取付けできるし、その状態で本体２０を強い力で引くことで一対の側壁部５５が拡開変形して小径部４１から抜き出しできる。
【００４９】
前述の第１〜第３の実施の形態では、待機補助薬剤放散散器具３（器具取付部１１の数よりも多い補助薬剤放散器具２）を備えているが、この待機補助薬剤放散器具３は主薬剤放散器具１に取付けて保持せずに別の場所に保管しても良い。
また、待機補助薬剤放散器具３を備えなくても良い。つまり、器具取付部１１の数だけの補助薬剤放散器具２としても良い。
【００５０】
次に、本発明の第４の実施の形態を図１４に基づいて説明する。
この実施の形態は、主薬剤放散器具１の器具取付部１１に幅寸法の異なる補助薬剤放散器具２を選択して取付けできるようにしたことが第１の実施の形態と相違し、他の構成は第１の実施の形態と同様である。
図１４に示すように、主薬剤放散器具１の器具本体１０の上面板１０ａにおける吸込口１２と離れた位置に第１・第２・第３ブラケット６０，６１，６２を設けると共に、各ブラケット６０，６１，６２に亘ってピン６３を挿入、抜き出し自在として器具取付部１１としてある。
【００５１】
前記補助薬剤放散器具２は幅寸法の異なる第１〜第５補助薬剤放散器具２−１，２−２，２−３，２−４，２−５を備えている。
前記第１補助薬剤放散器具２−１の本体２０の幅は、前記第１ブラケット６０と第２ブラケット６１との間の寸法と同一で、その本体２０の幅方向に貫通した孔を形成し、この孔に前記ピン６３が挿入するようにして取付部２１としてある。
このようであるから、第１の補助薬剤放散器具２−１を第１・第２ブラケット６０，６１間にピン６３で取付けできる。
【００５２】
前記第２の補助薬剤放散器具２−２の本体２０の幅は、第２・第３ブラケット６１，６２間の寸法と同一で、その本体２０の幅方向に貫通した孔が形成してある。
この孔は前記ピン６３が挿入する大きさで、前記取付部２１としてある。
このようであるから、第２の補助薬剤放散器具２−２を第２・第３ブラケット６１，６２間にピン６３で取付けできる。
【００５３】
前記第３の補助薬剤放散器具２−３の本体２０の幅は、第１・第２ブラケット６０，６１の外側面６０ａ，６１ａ間の寸法よりも若干大きく、その本体２０の端部に一対の突片７０，７０が設けてあり、この一対の突片７０に前記ピン６３が挿入する孔７１を形成して取付部２１としてある。
このようであるから、一対の突片７０を第１・第２ブラケット６０，６１の外側面６０ａ，６１ａ間に挿入してピン６３で取付けできる。
【００５４】
前記第４の補助薬剤放散器具２−４の本体２０の幅は、第２ブラケット６１の内側面６１ｂと第３ブラケット６２の外側面６２ａとの間の寸法よりも若干大きく、一対の突片７０を第２ブラケット６１の内側面６１ｂと第３ブラケット６２の外側面６２ａとの間に挿入してピン６３で取付けできる。
【００５５】
前記第５の補助薬剤放散器２−５の本体２０の幅は、第１ブラケット６０の外側面６０ａと第３ブラケット６２の外側面６２ａとの間の寸法よりも若干大きく、その一対の突片７０を第１・第３ブラケット６０，６２の外側面６０ａ，６２ａ間に挿入しピン６３で取付けできる。
【００５６】
また、図１５に示すように器具取付部１１は図１４と同様とし、第６〜第１０の補助薬剤放散器２−６，２−７，２−８，２−９，２−１０の幅を前述したと同様に第１・第２・第３ブラケット６０，６１，６２間の寸法よりも若干大きくし、一対の突片７０，７０を設けて取付部２１としてある。
【００５７】
前記第６の補助薬剤放散器具２−６の一対の突片７０，７０を第１ブラケット６０の内側面６０ｂと第２ブラケット６１の外側面６１ａ間に挿入してピン６３で取付ける。
【００５８】
前記第７の補助薬剤放散器具２−７の一対の突片７０，７０を第２ブラケット６１の外側面６１ａと第３ブラケット６２の外側面６２ａ間に挿入してピン６３で取付ける。
【００５９】
前記第８の補助薬剤放散器具２−８の一対の突片７０，７０を第２ブラケット６１の内側面６１ｂと第３ブラケット６２の内側面６２ｂ間に挿入してピン６３で取付ける。
【００６０】
前記第９の補助薬剤放散器具２−９の一対の突片７０，７０は、第１ブラケット６０の外側面６０ａと第３ブラケット６２の内側面６２ｂ間に挿入してピン６３で取付ける。
【００６１】
前記第１０の補助薬剤放散器具２−１０の一対の突片７０，７０は、第１ブラケット６０の内側面６０ｂと第３ブラケット６２の外側面６２ａ間に挿入してピン６３で取付けられる。
【００６２】
前述の図１４、図１５に示す第１〜第１０の補助薬剤放散器２−１〜２−１０は、主薬剤放散器具１に取付けた状態でピン６３を中心として横向姿勢から重なり姿勢に回動でき、横向姿勢や縦向姿勢が前述の使用姿勢で、重なり姿勢が格納姿勢である。
また、主薬剤放散器具１に取付けない補助薬剤放散器具２は器具本体１０に重ね合わせて取付けても良いし、他の場所に保管しても良い。
【００６３】
前述の図１４、図１５に示すブラケット６０，６１，６２について、その数は３個に限定されない。また、補助薬剤放散器具２などの取付けの組み合わせも自由である。例えば、ブラケットを２個とし、用意する補助や大気補助薬剤放散器具２，３の数を減らしたり、又はブラケットを第１・第２・第３・第４ブラケットの４つを設け、第１ブラケットと第２ブラケットの間、第２ブラケットと第３ブラケットの間、第３ブラケットと第４ブラケットの間に取付けるなど、使用目的や使用場面などに応じて設計することができる。
【００６４】
また、前述の図１４、図１５では、ブラケット６０，６１，６２及びピン６３を器具取付部１１、取付部２１としたが、これに限定されない。図示していないが、例えば主薬剤放散器具１の器具取付部１１としてブラケットに凹陥部を設け、補助薬剤放散器具２の取付部２１として凹陥部に嵌合する突起を補助薬剤放散器具２の両端に設け、器具取付部１１に取付部２１を嵌合することで、それぞれに設けられた電源端子相互が接触するようにすることもできる。
【図面の簡単な説明】
【００６５】
【図１】本発明の第１の実施の形態を示す使用状態の平面図である。
【図２】本発明の第１の実施の形態を示す使用状態の正面図である。
【図３】本発明の第１の実施の形態を示す格納状態の平面図である。
【図４】本発明の第１の実施の形態を示す格納状態の正面図である。
【図５】主薬剤放散器具の断面図である。
【図６】補助薬剤放散器具の断面図である。
【図７】器具取付部と取付部の他の実施の形態を示す斜視図である。
【図８】本発明の第２の実施の形態を示す使用状態の平面図である。
【図９】本発明の第２の実施の形態を示す使用状態の正面図である。
【図１０】本発明の第３の実施の形態を示す使用状態の平面図である。
【図１１】本発明の第３の実施の形態を示す使用状態の正面図である。
【図１２】器具取付部と取付部の分解斜視図である。
【図１３】器具取付部と取付部の他の実施の形態の平面図である。
【図１４】本発明の第４の実施の形態を示す平面図である。
【図１５】本発明の第５の実施の形態を示す平面図である。
【符号の説明】
【００６６】
１…主薬剤放散器具、２…補助薬剤放散器具、１０…器具本体、１１…器具取付部、１１２…吸込口、１３…吐出口、１４…薬剤取付部、１５…送風機、１７…薬剤、１８…電池（電源）、２０…本体、２１…取付部、２２…吸込口、２３…吐出口、２４…薬剤取付部、２５…送風機、２６…薬剤、６０…第１ブラケット、６１…第２ブラケット、６２…第３ブラケット、６３…ピン、７０…突片、７１…孔。
【図１】
2009153388.tif 000003
【図２】
2009153388.tif 000004
【図３】
2009153388.tif 000005
【図４】
2009153388.tif 000006
【図５】
2009153388.tif 000007
【図６】
2009153388.tif 000008
【図７】
2009153388.tif 000009
【図８】
2009153388.tif 000010
【図９】
2009153388.tif 000011
【図１０】
2009153388.tif 000012
【図１１】
2009153388.tif 000013
【図１２】
2009153388.tif 000014
【図１３】
2009153388.tif 000015
【図１４】
2009153388.tif 000016
【図１５】
2009153388.tif 000017